(57)【特許請求の範囲】
【請求項１】
車両の原動機または車輪の運動エネルギを利用して作動し、発電電圧を変更可能なオルタネータと、
第一の蓄電装置が接続された低電圧系回路と、
前記第一の蓄電装置より高い電圧を入出力可能な第二の蓄電装置が接続された高電圧系回路と、
前記オルタネータの発電電圧に応じて該オルタネータが発電した電気の供給先を前記低電圧系回路または前記高電圧系回路の何れかに切り換える切換スイッチと、
車両に要求される加減速度合を検出する検出手段と、
前記オルタネータの発電電圧が低電圧系回路または高電圧系回路の何れか一方に適した電圧から他方に適した電圧へ変更される過渡期において前記検出手段の検出結果に応じて前記オルタネータの発電電圧を調整する制御手段と、
を備えることを特徴とする車両の発電制御システム。
【請求項２】
請求項１において、前記制御手段は、車両に要求される加減速度合が低いときは高いときに比べ、前記オルタネータの発電電圧の変更速度を遅くすることを特徴とする車両の発電制御システム。
【請求項３】
請求項１において、前記制御手段は、前記オルタネータの発電電圧の変更を開始する前に、前記オルタネータの発電電圧を前記低電圧系回路に適した電圧より低く設定された所定電圧まで一時低下させるとともに、前記オルタネータの発電電圧が前記所定電圧以下であるときに前記切換スイッチを切換動作させることを特徴とする車両の発電制御システム。
【請求項４】
請求項３において、前記制御手段は、前記検出手段により検出された加減速度合が予め定められた基準を超えている場合は、前記オルタネータの発電電圧の変更並びに前記切換スイッチの切換動作を直ちに開始することを特徴とする車両の発電制御システム。
【請求項５】
請求項１乃至４の何れか一において、前記検出手段は、アクセル開度と制動装置の状態とトランスミッションの状態との少なくとも１つに基づいて加減速度合を判別することを特徴とする車両の発電制御システム。
【請求項６】
請求項４において、前記制御手段は、車両の減速時において制動装置の操作量が予め定められた基準操作量より多い場合、および／またはトランスミッションの変速比が予め定められた基準変速比より低速側にある場合に、車両に要求される減速度合が基準を上回っていると判定することを特徴とする車両の発電制御システム。
【請求項７】
請求項４において、前記制御手段は、車両の加速時においてアクセル開度が予め定められた基準開度より大きい場合、またはアクセル開度の増加速度が予め定められた基準速度より高い場合に、車両に要求される加速度合が基準を上回っていると判定することを特徴とする車両の発電制御システム。
【発明の詳細な説明】
【技術分野】
【０００１】
本発明は、減速走行時の運動エネルギを回生発電することができる車両の発電制御システムに関する。
【背景技術】
【０００２】
自動車などの車両に搭載される発電システムとしては、発電電圧を変更可能な発電機と、高電圧用バッテリを含む高電圧系回路と、低電圧バッテリを含む低電圧系回路と、発電機が発生した電気エネルギを高電圧系回路または低電圧系回路の何れか一方に供給させるスイッチと、を備え、車両の制動時は発電機の発電電圧を高電圧化して高電圧系回路へ供給するシステムが知られている（たとえば、特許文献１を参照）。
【先行技術文献】
【特許文献】
【０００３】
【特許文献１】特開平５−１６１２０２号公報
【特許文献２】特開平９−２６１８８７号公報
【特許文献３】特許第３６３２３１９号公報
【特許文献４】特開２００６−３１１６３２号公報
【特許文献５】特許第４１７２０９４号公報
【特許文献６】特開２００４−３３６８８７号公報
【特許文献７】特開２００５−２２５６２号公報
【発明の概要】
【発明が解決しようとする課題】
【０００４】
ところで、車両の制動時に発電電圧が低電圧から高電圧へ切り換えられると、回生制動力が急変するため、運転者に与える減速感が急変する。その結果、車両のドライバビリティが低下する可能性があった。
【０００５】
本発明は、上記したような実情に鑑みてなされたものであり、その目的は、発電電圧を変更可能な発電機を備えた車両の発電制御システムにおいて、発電電圧の変更に伴うドライバビリティ低下を抑制することにある。
【課題を解決するための手段】
【０００６】
本発明は、上記した課題を解決するために、以下のような手段を採用した。すなわち、本発明は、オルタネータの発電電圧に応じて低電圧系回路への給電と高電圧系回路への給電とを切り換える車両の発電制御システムにおいて、オルタネータの発電電圧を低電圧系回路と高電圧系回路の何れか一方に適した電圧から他方に適した電圧へ変更する過渡期に、運転者が要求する加減速度合に応じて発電電圧を調整するようにした。
【０００７】
詳細には、本発明に係わる車両の発電制御システムは、
車両の原動機または車輪の運動エネルギを利用して作動し、発電電圧を変更可能なオルタネータと、
第一の蓄電装置が接続された低電圧系回路と、
前記第一の蓄電装置より高い電圧を入出力可能な第二の蓄電装置が接続された高電圧系回路と、
前記オルタネータの発電電圧に応じて該オルタネータが発電した電気の供給先を前記低電圧系回路または前記高電圧系回路の何れかに切り換える切換スイッチと、
車両に要求される加減速度合を検出する検出手段と、
前記オルタネータの発電電圧が低電圧系回路または高電圧系回路の何れか一方に適した電圧から他方に適した電圧へ変更される過渡期において前記検出手段の検出結果に応じて前記オルタネータの発電電圧を調整する制御手段と、
を備える。
【０００８】
オルタネータの発電電圧が変更されたときは、該オルタネータによって消費（回生）される運動エネルギ量が変化する。このため、原動機または車輪の運動エネルギを利用してオルタネータが発電を行う車両においては、オルタネータの発電電圧が変更されたときに車両の加減速度合が変化することになる。
【０００９】
たとえば、オルタネータの発電電圧が低電圧系回路に適した電圧（以下、「低電圧」と称する）から高電圧系回路に適した電圧（以下、「高電圧」と称する）へ変更された場合は、車両を減速させようとする力が大きくなる。このため、車両の減速度合が高くなったり、または車両の加速度合が低くなったりする。一方、オルタネータの発電電圧が高電圧から低電圧へ変更された場合は、車両を減速さようとする力が小さくなる。このため、車両の減速度合が低くなったり、または車両の加速度合が高くなったりする。
【００１０】
したがって、車両が減速状態にあるときはオルタネータの発電電圧を高電圧に設定し、車両が非減速状態（加速状態や定速状態）にあるときはオルタネータの発電電圧を低電圧に設定することが好ましい。
【００１１】
ただし、車両の走行状態が減速状態または非減速状態の何れか一方から他方へ変化した場合に、オルタネータの発電電圧が一時に変更されると、車両の加減速度合が急激に変化してしまい、車両の運転者にショックや違和感を与える可能性がある。
【００１２】
たとえば、運転者が比較的穏やかな加減速を要求しているときにオルタネータの発電電圧が急激に変更されると、車両の加減速度合が急激に変化する。そのため、車両の運転者が要求する加減速度合（以下、「要求加減速度合」と称する）と実際の加減速度合とが懸け離れてしまい、それを補正するための運転操作が必要になる場合がある。その結果、車両のドライバビリティが低下する可能性がある。
【００１３】
一方、運転者が比較的急な加減速を要求しているときは、運転者が加減速度合の急激な変化を予測可能である。このため、オルタネータの発電電圧が急激に変化されても、要求加減速度合と実際の加減速度合との乖離は小さくなると考えられる。
【００１４】
これに対し、本発明の車両の発電制御システムによれば、オルタネータの発電電圧が低電圧または高電圧の何れか一方から他方へ変更される過渡期において、要求加減速度合に応じてオルタネータの発電電圧が変更されることになる。そのため、要求加減速度合と実際の加減速度合との乖離を小さくすることができる。その結果、ドライバビリティの低下も抑制される。
【００１５】
たとえば、本発明の制御手段は、要求加減速度合が低いときは高いときに比べ、オルタネータの発電電圧の変更速度を低くしてもよい。その際、制御手段は、要求加減速度合に対して段階的に変更速度を変更してもよく、または連続的に変更速度を変更してもよい。
【００１６】
このように発電電圧の変更速度が調整されると、要求加減速度合が低いときは高いときより穏やかに発電電圧を変化させることができる。その結果、要求加減速度合と実際の加減速度合との乖離が一層小さくなる。
【００１７】
なお、制御手段は、検出手段により検出された加減速度合が予め定められた基準を超え
ている場合は、オルタネータの発電電圧を一時に変更してもよい。すなわち、運転者が急な加減速を要求している場合は、オルタネータの発電電圧が低電圧または高電圧の何れか一方から他方へ直ちに変更されてもよい。このような制御によると、車両の加減速度合を速やかに高めることができる。
【００１８】
また、本発明の制御手段は、オルタネータの発電電圧の変更を開始する前に、オルタネータの発電電圧を低電圧より低く設定された所定電圧まで一時低下させるとともに、オルタネータの発電電圧が所定電圧以下であるときに切換スイッチを切換動作させるようにしてもよい。なお、前記した所定電圧は低電圧より低い電圧であり、零を含むものとする。
【００１９】
この場合、オルタネータの発電電圧が所定電圧以下に一旦低下された後にオルタネータの発電電圧が低電圧または高電圧まで高められるため、車両の加減速度合が急激に変化する事態を回避することができる。さらに、オルタネータの発電電圧が所定電圧以下まで低下されたときに切換スイッチが切換動作するため、切換スイッチにかかる負荷を低減することも可能となる。
【００２０】
なお、制御手段は、検出手段により検出された加減速度合が予め定められた基準を超えている場合は、オルタネータの発電電圧を一旦低下させる処理をスキップして発電電圧の変更並びに切換スイッチの切換動作を開始してもよい。このような制御によると、車両の加減速度合を速やかに高めることができる。
【００２１】
ところで、運転者が要求する加速度合が高いときは低いときに比べ、アクセル開度が大きくなったり、アクセル開度の増加速度が高くなったりする。また、運転者が要求する減速度合が高いときは低いときに比べ、変速機の変速比が低速側へ変更（たとえば、シフトダウン操作）されたり、制動装置を作動させるための操作（たとえば、ブレーキペダルの踏み込み）がなされたり、制動装置の操作量（たとえば、ブレーキペダルの踏み込み量）が多くなったり、または制動装置の操作速度（たとえば、ブレーキペダルの踏み込み速度）が速くなったりする。このように、アクセル開度と制動装置の状態とトランスミッションの状態との少なくとも１つは、運転者が要求する加減速度合に相関する。
【００２２】
そこで、本発明の検出手段は、アクセル開度と制動装置の状態とトランスミッションの状態との少なくとも１つに基づいて加減速度合を検出してもよい。その場合、要求加減速度合をより正確に検出することができるため、要求加減速度合と実際の加減速度合との乖離を一層小さくすることができる。
【００２３】
制御手段は、車両の減速時において、制動装置を作動させるための操作がなされている場合、制動装置の操作量が予め定められた基準操作量より多い場合、トランスミッションの変速比が予め定められた基準変速比より低速側の変速比である場合等に、要求減速度合が基準を上回っていると判定してもよい。
【００２４】
また、制御手段は、車両の加速時において、アクセル開度が予め定められた基準開度より大きい場合、アクセル開度の増加速度が予め定められた基準速度より高い場合等に、車両に要求される加速度合が基準を上回っていると判定してもよい。
【００２５】
上記した基準操作量、基準開度、及び基準速度は、車両に要求される加減速度合と実際の加減速度合との乖離を運転者が感知し得ると認められる範囲の下限値に相当し、予め実験などを利用した適合作業により定められる。
【００２６】
本発明の制御手段は、オルタネータの発電電圧を変更する途中および／または変更後にいて、車両の実際の加減速度合を検出し、検出された加減速度合が要求加減速度合に一致
するように目標発電電圧をフィードバック制御してもよい。その場合、要求加減速度合と実際の加減速度合との乖離を極めて小さくすることが可能となる。
【発明の効果】
【００２７】
本発明によれば、発電電圧を変更可能な発電機を備えた車両の発電制御システムにおいて、発電電圧の変更に伴うドライバビリティの低下を抑制することができる。
【図面の簡単な説明】
【００２８】
【図１】本発明を適用する車両の概略構成を示す図である。
【図２】発電機構の概略構成を示す図である。
【図３】車速と切換スイッチの作動状態と目標発電電圧との相関関係を経時的に示すタイミングチャートである。
【図４】第１の実施例における目標発電電圧の変更方法を示すタイミングチャートである。
【図５】第１の実施例における発電制御ルーチンを示すフローチャートである。
【図６】第２の実施例における目標発電電圧の変更方法を示すタイミングチャートである。
【図７】第２の実施例における発電制御ルーチンを示すフローチャートである。
【図８】発電機構の他の構成例を示す図である。
【発明を実施するための形態】
【００２９】
以下、本発明の具体的な実施形態について図面に基づいて説明する。本実施形態に記載される構成部品の寸法、材質、形状、相対配置等は、特に記載がない限り発明の技術的範囲をそれらのみに限定する趣旨のものではない。
【００３０】
＜実施例１＞
先ず、本発明の第１の実施例について図１乃至図５に基づいて説明する。図１は、本発明を適用する車両の概略構成を示す図である。
【００３１】
図１において、車両には、原動機としての内燃機関１が搭載されている。内燃機関１の出力軸はトランスミッション２の入力軸に連結されている。トランスミッション２の出力軸はプロペラシャフト３を介してデファレンシャルギア４に連結されている。デファレンシャルギア４には、二本のドライブシャフト５が接続され、ドライブシャフト５は左右の駆動輪６にそれぞれ接続されている。
【００３２】
前記したトランスミッション２としては、トルクコンバータまたはクラッチ機構と、変速比を段階的または無段階に変更する変速機構と、を組み合わせたものを例示することができる。
【００３３】
内燃機関１から出力された動力（出力軸の回転トルク）は、トランスミッション２により速度変換された後にプロペラシャフト３に伝達され、次いでデファレンシャルギア４により減速された後にドライブシャフト５及び駆動輪６に伝達される。
【００３４】
内燃機関１には、発電機構１００が併設されている。発電機構１００は、図２に示すように、オルタネータ１０１、高電圧系回路１０２、低電圧系回路１０３、切換スイッチ１０４を備えている。
【００３５】
オルタネータ１０１は、内燃機関１の出力軸（または、該出力に連動して回転する部材）とプーリやベルトなどを介して連結され、出力軸の運動エネルギ（回転エネルギ）を電気エネルギに変換する発電機である。
【００３６】
詳細には、オルタネータ１０１は、三相の捲線を有するステータコイルと、ロータに巻回されたフィールドコイルと、ステータコイルに発生した交流電流を直流電流に整流する整流器と、フィールドコイルに対する界磁電流（フィールド電流）の通電（オン）と非通電（オフ）を切り換えるレギュレータ１０１ａと、を具備する三相交流発電機である。このように構成されたオルタネータ１０１は、フィールドコイルに界磁電流が通電されたときに、ステータコイルに誘起電流（三相交流電流）を発生させ、発生した三相交流電流を直流電流に整流して出力する。
【００３７】
オルタネータ１０１の出力は、切換スイッチ１０４の入力端子１０４ａに入力されるようになっている。切換スイッチ１０４は、一つの入力端子１０４ａと二つの出力端子１０４ｂ，１０４ｃを具備し、入力端子１０４ａの接続先を二つの出力端子１０４ｂ，１０４ｃの何れか一方に切り換える回路である。二つの出力端子１０４ｂ，１０４ｃの一方（以下、「第一出力端子」と称する）１０４ｂは、高電圧系回路１０２に接続されている。二つの出力端子１０４ｂ，１０４ｃの他方（以下、「第二出力端子」と称する）１０４ｃは、低電圧系回路１０３に接続されている。
【００３８】
高電圧系回路１０２は、高電圧（たとえば、４３．５Ｖ程度）の電気を入出力可能な回路であり、高電圧バッテリ１０２ａや高電圧負荷１０２ｂが並列に接続された回路である。一方、低電圧系回路１０３は、低電圧（たとえば、１４．５Ｖ程度）の電気を入出力可能な回路であり、低電圧バッテリ１０３ａや低電圧負荷１０３ｂが並列に接続された回路である。
【００３９】
ここで図１に戻り、車両には、内燃機関１、トランスミッション２、及び発電機構１００を電気的に制御するための電子制御ユニット（ＥＣＵ）２０が併設されている。なお、図１においては、ＥＣＵ２０は一つであるが、内燃機関１用のＥＣＵとトランスミッション２用のＥＣＵと発電機構１００用のＥＣＵとに分割されていてもよい。
【００４０】
ＥＣＵ２０には、アクセルポジションセンサ２１、シフトポジションセンサ２２、ブレーキスイッチ２３、クランクポジションセンサ２４、車速センサ２５等の各種センサの出力信号が入力されるようになっている。
【００４１】
アクセルポジションセンサ２１は、アクセルペダルの操作量（踏み込み量）に応じた電気信号を出力するセンサである。シフトポジションセンサ２２は、シフトレバーの操作位置に応じた電気信号を出力するセンサである。ブレーキスイッチ２３は、ブレーキペダルが踏み込まれたときにオン信号を出力するセンサである。クランクポジションセンサ２４は、内燃機関１の出力軸（クランクシャフト）の回転位置に応じた電気信号を出力するセンサである。車速センサ２５は、車両の走行速度に応じた電気信号を出力するセンサである。
【００４２】
ＥＣＵ２０は、上記した各種センサの出力信号に基づいて、内燃機関１の運転状態、トランスミッション２の変速状態、発電機構１００の発電状態などを制御する。以下、発電機構１００の発電状態を制御する方法について述べる。
【００４３】
ＥＣＵ２０は、レギュレータ１０１ａのオン／オフをデューティ制御することにより、オルタネータ１０１の発電電圧を変更する。たとえば、ＥＣＵ２０は、オルタネータ１０１の発電電圧を高める場合は、レギュレータ１０１ａのオン時間が長く（オフ時間が短く）なるようにデューティ比を決定する。一方、オルタネータ１０１の発電電圧を低める場合は、ＥＣＵ２０は、レギュレータ１０１ａのオン時間が短く（オフ時間が長く）なるようにデューティ比を決定する。さらに、ＥＣＵ２０は、オルタネータ１０１の実際の発電
電圧をセンシングし、実際の発電電圧と目標発電電圧との差に応じてデューティ比のフィードバック制御も行う。
【００４４】
また、ＥＣＵ２０は、高電圧系回路１０２に電気を供給するときは、オルタネータ１０１の発電電圧を高電圧系回路１０２に適した電圧（高電圧）と一致するようにレギュレータ１０１ａをデューティ制御するとともに、入力端子１０４ａと第一出力端子１０４ｂとが接続されるように切換スイッチ１０４を制御する。
【００４５】
一方、低電圧系回路１０３に電気を供給するときは、ＥＣＵ２０は、オルタネータ１０１の発電電圧を低電圧系回路１０３に適した電圧（低電圧）と一致するようにレギュレータ１０１ａをデューティ制御するとともに、入力端子１０４ａと第二出力端子１０４ｃとが接続されるように切換スイッチ１０４を制御する。
【００４６】
ところで、車両の走行状態が非減速状態にあるとき、言い換えれば、加速状態や定速状態にあるときにオルタネータ１０１の発電電圧が高電圧まで高められると、内燃機関１が発生する動力（運動エネルギ）のうちオルタネータ１０１に消費される運動エネルギの割合が増加してしまう。そのため、駆動輪６の駆動力が過剰に減少する可能性がある。さらに、上記した駆動力の減少に対して内燃機関１の負荷が高められると、燃料消費量が増加する可能性もある。
【００４７】
一方、車両の走行状態が減速状態にあるときにオルタネータ１０１の発電電圧が低電圧まで低められると、駆動輪６がもつ運動エネルギのうちオルタネータ１０１によって回生される運動エネルギの割合が減少する。そのため、制動装置（たとえば、摩擦ブレーキ）によって消費（熱エネルギへ変換後に廃棄）される運動エネルギが増加する。
【００４８】
そこで、本実施例の発電制御では、図３に示すように、車両の走行状態が非減速状態にあるときはオルタネータ１０１の発電電圧が低電圧に抑制され、車両の走行状態が減速状態にあるときはオルタネータ１０１の発電電圧が高電圧まで高められるようにした。
【００４９】
なお、車両の走行状態は、アクセルポジションセンサ２１及び車速センサ２５の出力信号に基づいて判別される。たとえば、ＥＣＵ２０は、アクセル開度が零であり、且つ車速が減少傾向にあるときは、車両が減速状態にあると判別する。また、ＥＣＵ２０は、アクセル開度が零より大きく、且つ車速が増加傾向にあるときは、車両が加速状態にあると判別する。さらに、ＥＣＵ２０は、アクセル開度がパーシャル状態にあり、且つ車速の変化率が一定の範囲内にあるときは、車両が定速状態にあると判別する。
【００５０】
このように車両の加減速状態に応じてオルタネータ１０１の発電電圧を変更することにより、加速走行時や定速走行時に発電に費やされる運動エネルギの増加を抑えつつ、減速走行時に廃棄される運動エネルギを減少させることができる。
【００５１】
ただし、車両の走行状態が非減速状態から減速状態へ移行したときに、オルタネータ１０１の発電電圧が低電圧から高電圧へ一時に変更されると、車両の減速度合が急増する。そのため、運転者にショックや違和感を与える可能性がある。
【００５２】
特に、運転者が比較的穏やかな減速を要求しているときに、オルタネータ１０１の発電電圧が低電圧から高電圧へ一時に変更されると、運転者が意図する以上の減速力が発生するため、それを補正するための運転操作が必要となり、ドライバビリティの低下を招くことになる。
【００５３】
同様に、車両の走行状態が減速状態から非減速状態へ移行したときにオルタネータ１０
１の発電電圧が高電圧から低電圧へ一時に変更されると、車両の減速度合が急減する。そのため、運転者にショックや違和感を与えるとともに、ドライバビリティの低下を招く可能性がある。
【００５４】
これに対し、本実施例の発電制御では、オルタネータ１０１の発電電圧を低電圧または高電圧の何れか一方から他方へ変更する場合に、オルタネータ１０１の目標発電電圧をなまし処理するようにした。
【００５５】
たとえば、車両の走行状態が非減速状態から減速状態へ移行した場合は、図４に示すように、オルタネータ１０１の目標発電電圧を低電圧から高電圧へ徐々に増加させる。その際、目標発電電圧が低電圧から高電圧に到達するまでの時間（時定数ａ）は、オルタネータ１０１に特有の時定数（オルタネータ１０１の発電電圧が低電圧から高電圧に到達するまでに要する応答遅れ時間）より大きく設定されるものとする。
【００５６】
また、図４に示す例では、目標発電電圧が直線的に変化する例を示しているが、二次曲線的に変化してもよく、またはステップ状に変化してもよい。さらに、図４に示す例では、車両の走行状態が非減速状態から減速状態へ移行した場合を示しているが、車両の走行状態が減速状態から非減速状態へ移行した場合もオルタネータ１０１の目標発電電圧がなまし処理されてもよい。
【００５７】
このようにオルタネータ１０１の目標発電電圧がなまし処理されると、運転者が要求する加減速度合と実際の加減速度合との乖離が小さくなる。
【００５８】
なお、要求加減速度合が予め定められた基準を上回っている場合は、上記したなまし処理が実施されないようにしてもよい。言い換えると、運転者が急な加減速を要求している場合は、オルタネータ１０１の目標発電電圧が低電圧または高電圧の何れか一方から他方へ一時に変更されるようにしてもよい。
【００５９】
このような方法によりオルタネータ１０１の目標発電電圧が変更されると、要求加減速度合と実際の加減速度合との乖離を小さくすることができる。よって、ドライバビリティの低下を抑制することができる。
【００６０】
次に、要求加減速度合が基準を上回っているか否かを判別する方法について述べる。本実施例においては、車両に要求される加減速度合は、アクセルポジションセンサ２１、シフトポジションセンサ２２、ブレーキスイッチ２３の出力信号に基づいて判別される。
【００６１】
まず、車両が減速状態にある場合においては、シフトポジションが高速段（または、トランスミッション２の変速比が基準変速比より高速側）にあり、且つブレーキスイッチ２３がオフであれば、要求減速度合は低いと判別することができる。一方、シフトポジションが低速段（または、トランスミッション２の変速比が基準変速比より定速側）にある場合、および／またはブレーキスイッチ２３がオンである場合は、要求減速度合は高いと判別することができる。
【００６２】
なお、ブレーキペダルの操作量を検出可能なセンサが車両に搭載されている場合は、ブレーキスイッチ２３のオン／オフ信号の代わりに、ブレーキペダルの操作量が基準操作量より多いか否かの判別結果をパラメータとしてもよい。
【００６３】
次に、車両が加速状態にある場合においては、アクセル開度が基準開度より小さく、且つアクセル開度の増加速度が基準速度より低ければ、要求加速度合は低いと判別することができる。一方、アクセル開度が基準開度より大きい場合、またはアクセル開度の増加速
度が基準速度より高い場合は、要求加速度合が高いと判別することができる。
【００６４】
上記した基準変速比、基準操作量、基準開度、及び基準速度は、予め実験などを利用した適合作業により定めておくものとする。
【００６５】
以下、本実施例における発電制御について図５に沿って説明する。図５は、本実施例における発電制御ルーチンを示すフローチャートである。このルーチンは、予めＥＣＵ２０のＲＯＭなどに記憶されており、ＥＣＵ２０によって周期的に実行される。
【００６６】
図５のルーチンでは、ＥＣＵ２０は、先ずＳ１０１においてアクセルポジションセンサ２１及び車速センサ２５の出力信号により車両の走行状態を取得する。
【００６７】
Ｓ１０２では、ＥＣＵ２０は、車両の走行状態が減速状態にあるか否かを判別する。Ｓ１０２において肯定判定された場合は、ＥＣＵ２０は、Ｓ１０３へ進む。
【００６８】
Ｓ１０３では、ＥＣＵ２０は、減速開始直後であるか否かを判別する。要するに、ＥＣＵ２０は、オルタネータ１０１の発電電圧が低電圧Ｖｌから高電圧Ｖｈへ切り換えられていない状態にあるか否かを判別する。Ｓ１０３において肯定判定された場合は、ＥＣＵ２０は、Ｓ１０４へ進む。
【００６９】
Ｓ１０４では、ＥＣＵ２０は、低電圧停止条件が成立しているか否かを判別する。低電圧停止条件は、オルタネータ１０１から低電圧系回路１０３への給電を停止することができる場合に成立する条件である。オルタネータ１０１から低電圧系回路１０３への給電を停止することができる場合としては、低電圧バッテリ１０３ａの充電状態（ＳＯＣ）が予め定められた下限値以上である場合、および／または低電圧負荷１０３ｂの要求電力が予め定められた上限値以下である場合を例示することができる。
【００７０】
また、オルタネータ１０１が高電圧Ｖｈを発電するためには、該オルタネータ１０１の回転数が一定回転数以上である必要がある。よって、上記の低電圧停止条件の一つとして、オルタネータ１０１の回転数が一定回転数以上であるという条件を加えることが望ましい。なお、オルタネータ１０１の回転数は内燃機関１の回転数（機関回転数）に相関するため、機関回転数が所定回転数以上であるという条件としてもよい。
【００７１】
Ｓ１０４において肯定判定された場合は、ＥＣＵ２０は、Ｓ１０５へ進む。Ｓ１０５では、ＥＣＵ２０は、入力端子１０４ａと第二出力端子１０４ｃが接続された状態から入力端子１０４ａと第一出力端子１０４ｂが接続された状態へ切り換わるように切換スイッチ１０４を制御する。すなわち、ＥＣＵ２０は、オルタネータ１０１と低電圧系回路１０３が接続された状態からオルタネータ１０１と高電圧系回路１０２が接続された状態へ切り換わるように切換スイッチ１０４を制御する。
【００７２】
Ｓ１０６では、ＥＣＵ２０は、運転者が要求する減速度合（要求減速度合）を取得する。要求減速度合の取得は、上述したようにシフトポジションセンサ２２の出力信号及びブレーキスイッチ２３の出力信号に基づいて行われる。
【００７３】
Ｓ１０７では、ＥＣＵ２０は、前記Ｓ１０６で取得された要求減速度合が基準以下であるか否かを判別する。Ｓ１０７において肯定判定された場合は、ＥＣＵ２０は、Ｓ１０８へ進む。一方、Ｓ１０７において否定判定された場合は、ＥＣＵ２０は、Ｓ１０８をスキップしてＳ１０９へ進む。
【００７４】
Ｓ１０８では、ＥＣＵ２０は、オルタネータ１０１の発電電圧を低電圧Ｖｌから高電圧
Ｖｈへ変更するときの目標発電電圧についてなまし処理を実施する。その際、目標発電電圧のなまし処理に用いられる時定数ａは、予め適合された固定値であってもよく、または要求減速度合に応じて段階的もしくは連続的に変化する可変値であってもよい。
【００７５】
Ｓ１０９では、ＥＣＵ２０は、オルタネータ１０１の発電電圧が前記Ｓ１０８で定められた目標発電電圧に一致するようにレギュレータ１０１ａを制御する。なお、前記Ｓ１０７において否定判定された場合は、ＥＣＵ２０は、Ｓ１０８をスキップしてＳ１０９へ進むことになるが、その場合の目標発電電圧としてはなまし処理が施されていない目標発電電圧が用いられる。つまり、目標発電電圧は、低電圧Ｖｌから高電圧Ｖｈへ一時に変更されることになる。
【００７６】
また、目標発電電圧のなまし処理により実際の発電電圧が徐々に上昇させられている途中において、要求減速度合が基準を上回ったときはなまし処理を中止して目標発電電圧を直ちに高電圧Ｖｈへ変更してもよい。
【００７７】
Ｓ１１０では、ＥＣＵ２０は、オルタネータ１０１の実際の発電電圧が高電圧Ｖｈ以上に上昇したか否かを判別する。Ｓ１１０において否定判定された場合は、ＥＣＵ２０は、Ｓ１０９へ戻る。一方、Ｓ１１０において肯定判定された場合は、ＥＣＵ２０は、Ｓ１１１へ進む。
【００７８】
Ｓ１１１では、ＥＣＵ２０は、オルタネータ１０１の実際の発電電圧が高電圧Ｖｈに維持されるようにレギュレータ１０１ａのデューティ比をフィードバック制御する。
【００７９】
次に、前記したＳ１０２において否定判定された場合、及び前記したＳ１０３において否定判定された場合は、ＥＣＵ２０は、Ｓ１１２へ進む。Ｓ１１２では、ＥＣＵ２０は、減速終了直後であるか否かを判別する。すなわち、ＥＣＵ２０は、オルタネータ１０１の発電電圧が高電圧Ｖｈから低電圧Ｖｌへ切り換えられていない状態にあるか否かを判別する。
【００８０】
前記Ｓ１１２において否定判定された場合（オルタネータ１０１の発電電圧が高電圧Ｖｈから低電圧Ｖｌへ変更済みである場合）は、ＥＣＵ２０は、Ｓ１１９ヘ進み、オルタネータ１０１の発電電圧が低電圧Ｖｌに維持されるようにレギュレータ１０１ａのデューティ比をフィードバック制御する。
【００８１】
一方、前記Ｓ１１２において肯定判定された場合は、ＥＣＵ２０は、Ｓ１１３へ進む。Ｓ１１３では、ＥＣＵ２０は、入力端子１０４ａと第一出力端子１０４ｂが接続された状態から入力端子１０４ａと第二出力端子１０４ｃが接続された状態へ切り換わるように切換スイッチ１０４を制御する。すなわち、ＥＣＵ２０は、オルタネータ１０１と高電圧系回路１０２が接続された状態からオルタネータ１０１と低電圧系回路１０３が接続された状態へ切り換わるように切換スイッチ１０４を制御する。
【００８２】
Ｓ１１４では、ＥＣＵ２０は、運転者が要求する加速度合（要求加速度合）を取得する。続いて、ＥＣＵ２０は、Ｓ１１５へ進み、前記Ｓ１１４で取得された要求加速度合が基準以下であるか否かを判別する。Ｓ１１５において肯定判定された場合は、ＥＣＵ２０は、Ｓ１１６へ進む。
【００８３】
Ｓ１１６では、ＥＣＵ２０は、オルタネータ１０１の発電電圧を高電圧Ｖｈから低電圧Ｖｌへ変更するときの目標発電電圧についてなまし処理を実行する。その際、目標発電電圧のなまし処理に用いられる時定数ａは、予め適合された固定値であってもよく、または要求加速度合に応じて段階的もしくは連続的に変化する可変値であってもよい。
【００８４】
Ｓ１１７では、ＥＣＵ２０は、オルタネータ１０１の発電電圧が前記Ｓ１１６で定められた目標発電電圧に一致するようにレギュレータ１０１ａを制御する。なお、前記Ｓ１１５において否定判定された場合は、ＥＣＵ２０は、Ｓ１１６をスキップしてＳ１１７へ進むことになるが、その場合の目標発電電圧としてはなまし処理が施されていない目標発電電圧が用いられる。つまり、目標発電電圧は、高電圧Ｖｈから低電圧Ｖｌへ一時に変更されることになる。
【００８５】
また、目標発電電圧のなまし処理により実際の発電電圧が徐々に低下させられている途中において、要求加速度合が高くなったときはなまし処理を中止して、目標発電電圧を低電圧Ｖｌへ直ちに変更してもよい。
【００８６】
Ｓ１１８では、ＥＣＵ２０は、オルタネータ１０１の実際の発電電圧が低電圧Ｖｌ以下に低下したか否かを判別する。Ｓ１１８において否定判定された場合は、ＥＣＵ２０は、Ｓ１１７へ戻る。一方、Ｓ１１８において肯定判定された場合は、ＥＣＵ２０は、Ｓ１１９へ進む。
【００８７】
Ｓ１１９では、ＥＣＵ２０は、オルタネータ１０１の実際の発電電圧が低電圧Ｖｌに維持されるようにレギュレータ１０１ａのデューティ比をフィードバック制御する。
【００８８】
また、前記したＳ１０４において否定判定された場合は、ＥＣＵ２０は、Ｓ１１９へ進む。すなわち、ＥＣＵ２０は、オルタネータ１０１の発電電圧を低電圧Ｖｌに維持する。その場合、低電圧系回路１０３において電力が不足する事態や、オルタネータ１０１の発電電圧が高電圧Ｖｈまで上昇しない事態等を回避することができる。
【００８９】
このようにＥＣＵ２０が図５のルーチンを実行することにより、本発明に係わる検出手段及び制御手段が実現される。よって、運転者が要求する加減速度合に応じてオルタネータ１０１の発電電圧を変更することができるとともに、発電電圧の変更過渡期における車両のドライバビリティ低下を抑制することができる。
【００９０】
以上述べた本実施例では、要求加減速度合が基準を上回っている場合は目標発電電圧のなまし処理が実施されない例について述べたが、要求加減速度合が基準を上回っているときは要求加減速度合が基準以下であるときより小さな時定数を用いてなまし処理が実施されてもよい。
【００９１】
＜実施例２＞
次に、本発明の第２の実施例について図６乃至図７に基づいて説明する。ここでは、前述した第１の実施例と異なる構成について説明し、同様の構成については説明を省略する。
【００９２】
前述した第１の実施例では、オルタネータ１０１の発電電圧を変更する過渡期において目標発電電圧を徐々に変更する例について述べた。これに対し、本実施例では、オルタネータ１０１の発電電圧を変更する過渡期において、発電電圧の変更を開始する前に発電電圧を低電圧Ｖｌより低い電圧まで一旦低下させる例について述べる。
【００９３】
図６は、車両の走行状態が非減速状態から減速状態へ移行したときの目標発電電圧の変更方法並びに切換スイッチ１０４の切換タイミングを示すタイミングチャートである。
【００９４】
図６に示すように、ＥＣＵ２０は、車両の走行状態が非減速状態へ移行した時点で、先ずオルタネータ１０１の目標発電電圧を低電圧Ｖｌより低い所定電圧（図６に示す例では
“０”）まで低下させる。続いて、ＥＣＵ２０は、オルタネータ１０１の実際の発電電圧が所定電圧まで低下したときに切換スイッチ１０４を切換動作させる。さらに、ＥＣＵ２０は、切換スイッチ１０４の切換動作後にオルタネータ１０１の目標発電電圧を高電圧Ｖｈへ変更する。
【００９５】
このような手順により目標発電電圧が変更されると、オルタネータ１０１の発電電圧が低電圧Ｖｌから高電圧Ｖｈへ急激に変更される事態を回避することができる。そのため、車両の加減速度合が急変する事態を回避することができるとともに、切換スイッチ１０４やオルタネータ駆動用のベルトやプーリに作用する負荷を低減することができる。その結果、ドライバビリティの低下を抑制することが可能になるとともに、切換スイッチ１０４等の耐久性を高めることができる。
【００９６】
以下、本実施例における発電制御について図７に沿って説明する。図７は、本実施例における発電制御ルーチンを示すフローチャートである。図７において、前述した第１の実施例のルーチン（図５を参照）と同一のステップには同一の符号が付されている。
【００９７】
図７のルーチンでは、ＥＣＵ２０は、Ｓ１０４において肯定判定された場合にＳ１０６及びＳ１０７の処理を順次実行する。そして、Ｓ１０７において肯定判定された場合は、ＥＣＵ２０は、Ｓ２０１の処理を実行する。Ｓ２０１では、ＥＣＵ２０は、発電電圧低減処理を実行する。発電電圧低減処理は、図６の説明で述べたように、オルタネータ１０１の発電電圧を低電圧Ｖｌから“０”へ低下（発電停止）させる処理である。
【００９８】
ＥＣＵ２０は、前記Ｓ２０１の処理を実行した後にＳ２０２の処理を実行する。Ｓ２０２では、ＥＣＵ２０は、オルタネータ１０１の実際の発電電圧が“０”まで低下したか否かを判別する。Ｓ２０２の処理は、オルタネータ１０１の実際の発電電圧が“０”となるまで繰り返し実行される。
【００９９】
前記Ｓ２０２において肯定判定された場合に、ＥＣＵ２０は、Ｓ２０３の処理を実行する。Ｓ２０３では、ＥＣＵ２０は、オルタネータ１０１と低電圧系回路１０３が接続された状態からオルタネータ１０１と高電圧系回路１０２が接続された状態へ切り換えるべく切換スイッチ１０４を制御する。続いて、ＥＣＵ２０は、Ｓ１０９−Ｓ１１１の処理を実行する。
【０１００】
また、Ｓ１０７において否定判定された場合は、ＥＣＵ２０は、前記したＳ２０１及びＳ２０２をスキップしてＳ２０３へ進む。すなわち、要求減速度合が基準を上回っている場合は、発電電圧低減処理を実行せずに切換スイッチ１０４の切換動作並びに発電電圧の変更が行われる。
【０１０１】
次に、Ｓ１１２において肯定判定された場合に、ＥＣＵ２０は、Ｓ１１４及びＳ１１５の処理を順次実行する。そして、Ｓ１１５において肯定判定された場合は、ＥＣＵ２０は、Ｓ２０４の処理を実行する。Ｓ２０４では、ＥＣＵ２０は、発電電圧低減処理を実行する。この場合の発電電圧低減処理は、オルタネータ１０１の発電電圧を高電圧Ｖｈから“０”へ低下（発電停止）させる処理である。
【０１０２】
ＥＣＵ２０は、前記Ｓ２０４の処理を実行した後にＳ２０５の処理を実行する。Ｓ２０５では、ＥＣＵ２０は、オルタネータ１０１の実際の発電電圧が“０”まで低下したか否かを判別する。Ｓ２０５の処理は、オルタネータ１０１の実際の発電電圧が“０”となるまで繰り返し実行される。
【０１０３】
前記Ｓ２０５において肯定判定された場合に、ＥＣＵ２０は、Ｓ２０６の処理を実行す
る。Ｓ２０６では、ＥＣＵ２０は、オルタネータ１０１と高電圧系回路１０２が接続された状態からオルタネータ１０１と低電圧系回路１０３が接続された状態へ切り換えるべく切換スイッチ１０４を制御する。続いて、ＥＣＵ２０は、Ｓ１１７の処理を実行する。
【０１０４】
ＥＣＵ２０は、Ｓ１１７の処理を実行した後にＳ２０７の処理を実行する。Ｓ２０７では、ＥＣＵ２０は、オルタネータ１０１の実際の発電電圧が低電圧Ｖｌ以上まで上昇したか否かを判別する。Ｓ２０７において否定判定された場合は、ＥＣＵ２０はＳ１１７へ戻る。一方、Ｓ２０７において肯定判定された場合は、ＥＣＵ２０はＳ１１９へ進む。
【０１０５】
また、Ｓ１１５において否定判定された場合は、ＥＣＵ２０は、前記したＳ２０４及びＳ２０５をスキップしてＳ２０６へ進む。すなわち、要求減速度合が基準を上回っている場合は、発電電圧低減処理を実行せずに切換スイッチ１０４の切換動作並びに発電電圧の変更が行われる。
【０１０６】
なお、発電低減処理の実行途中において要求加減速度合が基準を上回った場合は、ＥＣＵ２０は、発電低減処理を中止して切換スイッチ１０４の切換動作並びに目標発電電圧の変更を直ちに実施するようにしてもよい。
【０１０７】
このようにＥＣＵ２０が図７のルーチンを実行することにより、運転者が要求する加減速度合に応じてオルタネータ１０１の発電電圧を変更することができるとともに、発電電圧の変更過渡期における車両のドライバビリティ低下を抑制することができる。さらに、切換スイッチ１０４等の耐久性を向上させることも可能となる。
【０１０８】
以上述べた本実施例では、要求加減速度合が基準を上回っている場合は発電電圧低減処理が実施されない例について述べたが、要求加減速度合が基準を上回っているときは要求加減速度合が基準以下であるときより所定電圧を高めつつ発電電圧低減処理が実施されるようにしてもよい。
【０１０９】
なお、ＥＣＵ２０は、第１の実施例のなまし処理と本実施例の発電電圧低減処理とを組み合わせて実行してもよい。たとえば、ＥＣＵ２０は、発電電圧低減処理の実行後においてオルタネータ１０１の発電電圧を高電圧Ｖｈまたは低電圧Ｖｌまで上昇させる際になまし処理を実施するようにしてもよい。
【０１１０】
また、ＥＣＵ２０は、オルタネータ１０１の発電電圧を変更する途中または変更後において、車両の実際の加減速度合を検出し、検出された加減速度合が要求加減速度合と一致するようにオルタネータ１０１の発電電圧をフィードバック制御するようにしてもよい。たとえば、実際の減速度合が要求減速度合を上回った場合や実際の加速度合が要求加速度合を下回った場合に、ＥＣＵ２０は、オルタネータ１０１の発電電圧を低下させるようにレギュレータ１０１ａを制御してもよい。
【０１１１】
実際の加減速度合の検出方法としては、車速センサ２５の出力信号に基づいて演算する方法を例示することができる。また、車両に加速度センサが搭載されている場合には、加速度センサの出力信号を実際の加減速度合として利用してもよい。
【０１１２】
また、本発明を適用する発電機構としては、図８に示すような構成の発電機構を利用することもできる。図８において、高電圧系回路１０２と低電圧系回路１０３とは直流−直流変換器（ＤＣ−ＤＣコンバータ）１０５を介して電気的に接続されている。ＤＣ−ＤＣコンバータ１０５は、内蔵されたパワートランジスタのスイッチング動作により、高電圧系回路１０２を流れる高電圧Ｖｈを低電圧Ｖｌへ降圧して低電圧系回路１０３へ供給する回路であり、ＥＣＵ２０によって制御される。
【０１１３】
このように構成された発電機構によれば、前述した図５，７のＳ１０４において、低電圧バッテリ１０３ａの充電状態（ＳＯＣ）が予め定められた下限値未満であると判定された場合、および／または低電圧負荷１０３ｂの要求電力が予め定められた上限値を超えていると判定された場合であっても、オルタネータ１０１の発電電圧を低電圧Ｖｌから高電圧Ｖｈへ切り換えることが可能となる。その結果、低電圧系回路１０３において電力が不足する事態を回避しつつ運動エネルギの回生量を増加させることが可能となる。
【符号の説明】
【０１１４】
１  内燃機関
２  トランスミッション
３  プロペラシャフト
４  デファレンシャルギア
５  ドライブシャフト
６  駆動輪
２０  ＥＣＵ
１００  発電機構
１０１  オルタネータ
１０１ａ  レギュレータ
１０２  高電圧系回路
１０２ａ  高電圧バッテリ
１０２ｂ  高電圧負荷
１０３  低電圧系回路
１０３ａ  低電圧バッテリ
１０３ｂ  低電圧負荷
１０４  切換スイッチ
１０４ａ  入力端子
１０４ｂ  第一出力端子
１０４ｃ  第二出力端子
【図１】
0005487811.tif 000002
【図２】
0005487811.tif 000003
【図３】
0005487811.tif 000004
【図４】
0005487811.tif 000005
【図５】
0005487811.tif 000006
【図６】
0005487811.tif 000007
【図７】
0005487811.tif 000008
【図８】
0005487811.tif 000009